(57)【要約】【課題】  マルチメディアカードを簡単に収納することができ、あるいはメモリカードを容易に点検することができるマルチメディアカード収納ケースの改良を目的としている。【解決手段】  本体は、少なくとも一つの装着凹部を内蔵し、開口部を該装着凹部の一側に設けられ、マルチメディアカードを開口部から装着凹部内に差し込めることができ、複数の凹溝を該本体の開口部の両側の枠上に設けられ、凸部を該凹溝の両側の側板上に設けられる。該本体を、二軸に平行する係合穴を具える１組のブッシュに接続することができ、１組のブッシュ上の二軸に平行する係合穴を凹溝の凸部上に嵌め込め、１組のブッシュによって二つの本体を回転でき、また需要にあわせ複数の本体を接続することができる構造である。【選択図】  図２
0003102809.tif 000002
【実用新案登録請求の範囲】
【請求項１】
少なくとも一つの装着凹部を内蔵し、開口部を該装着凹部の一側に設けられ、該開口部から該装着凹部の上端の両側に面して係止片があり、該開口部から該装着凹部の内側の底部に面して突起があり、凹溝を開口部の両側の保持端部上に設けられ、凸部を凹溝の両側の側板上に設けられ、からなる本体と
二軸に平行する係合穴を具え、これによって、２組のブッシュ中の対応する係合穴を前記凹溝の凸部上に嵌め込め、該１組のブッシュの別の係合穴を前記本体の別の主体に対応する凹溝の凸部上に重ね嵌め込め、二つの本体を一体化し、嵌め込め、該二つの本体の凹溝中の１組のブッシュを軸心とし、回転でき、マルチメディアカードを前記開口部から装着凹部内に差し込め、メモリカードを前記係止片、突起内に納められ、からなる１組のブッシュと、を含むことを特徴とするマルチメディアカード収納ケースの改良。
【請求項２】
該本体が、四つの装着凹部を設置することを含むことを特徴とする請求項１に記載のマルチメディアカード収納ケースの改良。
【請求項３】
該突起が、球面状の膨出部であることを特徴とする請求項１に記載のマルチメディアカード収納ケースの改良。
【請求項４】
該突起が、該開口部から該装着凹部の内側の底部に面し、その両側に設けられることを含むことを特徴とする請求項１に記載のマルチメディアカード収納ケースの改良。
【考案の詳細な説明】
【技術分野】
【０００１】
この考案は複数のケースを接続し、マルチメディアカードを簡単に収納することができることを含むマルチメディアカード収納ケースの改良に関する。
【背景技術】
【０００２】
集積回路の技術と材料の日進月歩で新しくなることため、主に集積回路を利用し生産した製品ますます多くて、高機能だけではなくて、その製品が軽薄短小化に向かう今、およそ電子辞典、デジタルカメラと各種のデジタル製品などは枚挙にいとまがなくて、デジタルカメラを例として、それが必ず大量の映像データを記録しなければならないため、だから記憶装置類の電子メディアを必要として、しかしコンピュータの使用した磁性記憶装置の場合、限られたスペースの中に、軽薄短小の要求を達成することができなくて、そのためメモリチップと薄型カードから形成されたマルチメディアカードは開発され、すなわちMMCard、高容量データを記憶し、その軽薄短小は更に電子製品の需要に合う。
【０００３】
しかし、このマルチメディアカードの体積はあまりにも小さくて精巧で容易な損傷のため、業者はマルチメディアカード専用の収納ケースを開発した。図１に開示するように、係合穴２３を該ケース２０の一側に設けられ、それによって、外部の固定装置と繋ぐ（図示せず）ことになり、複数のケース２０を固定する。四つの装着凹部２１を該ケース２０に設けられ、弾性作用部２２を該装着凹部２１の底部に設けられ、マルチメディアカード１０を装着凹部２１に挿入し、弾性作用部２２によって、マルチメディアカード１０をケース２０内に収納され、マルチメディアカード１０を取り出す際、マルチメディアカード１０を下向きでおさえて、つまり弾性作用部２２を下向きでおさえて、マルチメディアカード１０を排出される。該ケース２０は次の欠点がある：
１、 弾性作用部２２の直接圧迫によって、マルチメディアカード１０を収納されることは、容易にマルチメディアカード１０に損傷を与える。
２、 ケース２０を重ね積んでおいて、マルチメディアカード１０を引き出すのは困難であり、しかも必要のマルチメディアカード１０を探すのは大変だった。
３、 ケース２０を重ね積む数は、外部の固定装置の長さあるいは容量に限られて、気の向くままに増加することができない。
【考案の開示】
【考案が解決しようとする課題】
【０００４】
この考案は、複数のケースを接続し、マルチメディアカードを簡単に収納することができることを含むマルチメディアカード収納ケースの改良を提供することを課題とする。
【０００５】
また、この考案は折りでつないで、ケースを完全に展開することができて、マルチメディアカードの内容を一目で分かることを含むマルチメディアカード収納ケースの改良を提供することを課題とする。
【０００６】
また、この考案はマルチメディアカードの収納方式は簡単で、収納と取出しは便利で、しかもマルチメディアカードに損傷を与えないことを含むマルチメディアカード収納ケースの改良を提供することを課題とする。
【課題を解決するための手段】
【０００７】
そこで、本考案者は、従来の技術に見られる欠点に鑑みて鋭意研究を重ねた結果、本体は、少なくとも一つの装着凹部を内蔵し、開口部を該装着凹部の一側に設けられ、マルチメディアカードを開口部から装着凹部内に差し込めることができ、複数の凹溝を該本体の開口部の両側の保持端部上に設けられ、凸部を該凹溝の両側の側板上に設けられる。該本体を、二軸に平行する係合穴を具える１組のブッシュに接続することができ、１組のブッシュ上の二軸に平行する係合穴を凹溝の凸部上に嵌め込め、１組のブッシュによって二つの本体を回転でき、また需要にあわせ複数の本体を接続することができる構造を含むことマルチメディアカード収納ケースの改良によって課題を解決できる点に着眼し、かかる知見に基づいて本考案を完成させた。
【０００８】
以下、この考案について具体的に説明する。
請求項１に記載するマルチメディアカード収納ケースの改良は、少なくとも一つの装着凹部を内蔵し、開口部を該装着凹部の一側に設けられ、該開口部から該装着凹部の上端の両側に面して係止片があり、該開口部から該装着凹部の内側の底部に面して突起があり、凹溝を開口部の両側の保持端部上に設けられ、凸部を凹溝の両側の側板上に設けられ、からなる本体と
二軸に平行する係合穴を具え、これによって、２組のブッシュ中の対応する係合穴を前記凹溝の凸部上に嵌め込め、該１組のブッシュの別の係合穴を前記本体の別の主体に対応する凹溝の凸部上に重ね嵌め込め、二つの本体を一体化し、嵌め込め、該二つの本体の凹溝中の１組のブッシュを軸心とし、回転でき、マルチメディアカードを前記開口部から装着凹部内に差し込め、メモリカードを前記係止片、突起内に納められ、からなる１組のブッシュと、を含む。
【０００９】
請求項２に記載するマルチメディアカード収納ケースの改良は、請求項１における本体が、四つの装着凹部を設置することを含む。
【００１０】
請求項３に記載するマルチメディアカード収納ケースの改良は、請求項１における突起が、球面状の膨出部であることを含む。
【００１１】
請求項４に記載するマルチメディアカード収納ケースの改良は、請求項１における突起が、該開口部から該装着凹部の内側の底部に面し、その両側に設けられることを含む。
【考案の効果】
【００１２】
この考案によれば、ルチメディアカードの収納方式は簡単で、収納と取出しは便利で、しかもマルチメディアカードに損傷を与えないことを含み、これによって、マルチメディアカード収納ケースの改良の効果を有する。
【考案を実施するための最良の形態】
【００１３】
この考案は、マルチメディアカード収納ケースの改良において、本体は、少なくとも一つの装着凹部を内蔵し、開口部を該装着凹部の一側に設けられ、マルチメディアカードを開口部から装着凹部内に差し込めることができ、複数の凹溝を該本体の開口部の両側の保持端部上に設けられ、凸部を該凹溝の両側の側板上に設けられる。該本体を、二軸に平行する係合穴を具える１組のブッシュに接続することができ、１組のブッシュ上の二軸に平行する係合穴を凹溝の凸部上に嵌め込め、１組のブッシュによって二つの本体を回転でき、また需要にあわせ複数の本体を接続することができる構造に供する。
かかるマルチメディアカード収納ケースの改良について、具体的な実施例を挙げ、その特徴を以下に詳述する。
【実施例】
【００１４】
図２、３に開示するように、この考案によるマルチメディアカード収納ケースの改良において、本体３０の外見は矩形であり、該本体３０は四つの装着凹部３１を内蔵し、開口部３２を該装着凹部３１の一側に設けられ、該開口部３２から該装着凹部３１の上端の両側に面して係止片３３があり、該開口部３２から該装着凹部３１の内側の底部に面して突起３４があり、該突起３４は球面状の膨出部であり、該開口部３２から該装着凹部３１の内側の底部に面し、その両側に設けられ、少なくとも一つの対応する凹溝３６を開口部３２の両側の保持端部３５上に設けられ、凸部２８を凹溝３６の両側の側板３７上に設けられる。
【００１５】
少なくとも１組のブッシュ４０がり、二軸に平行し、凹溝３６の凸部３８上に対応する係合穴４２をブッシュ４０上の両側の側板４１上に設けられる。
【００１６】
また、図４に開示するように、１組のブッシュ４０の一側の側板４１上の係合穴４２を本体３０の保持端部３５上の凹溝３６上の突部３８上に装着し、反対側の係合穴４２を反対側の突部３８上に押し込み、これによって、１組のブッシュ４０の各軸方向の係合穴４２を凹溝３６の係合穴４２に完全に嵌め込み、そして１組のブッシュ４０を本体３０の保持端部３５上に任意角度で自由回転できる。
【００１７】
また、図５、６，７に開示するように、１組のブッシュ４０の二軸方向の係合穴４２をそれぞれ二つの重ね本体３０の一側の上下の二つの凹溝３６内に嵌め込め、これによって、該二つの本体３０が１組のブッシュ４０を軸心とし、回転でき、図のように、三つの本体３０を重ねる際、先端部と底部の本体３０の１組のブッシュ４０は、凹溝３６に嵌め込めてなくて、本体３０の両側の保持端部３５上にあり、そのため決して全体の美観に影響しない。三つの本体３０を収める際、小型で収納と分類が容易であり、図７のように展開するなら、完全に本体３０を展示することができ、装着凹部３１内に収納されたマルチメディアカード１０を一目で分かる。マルチメディアカード１０の探し、あるいは収納し取出しはきわめて便利であり、マルチメディアカード１０を該本体３０の開口部３２から装着凹部３１内に押し込み、突起３４の球面状の膨出部によって、マルチメディアカード１０の挿入に役立つ。また、該マルチメディアカード１０を前記係止片３３と突起３４内に収められた際、該突起３４はマルチメディアカード１０の滑り出しを妨げる機能を果たし、これによって、マルチメディアカードの収納状態を構成する。
【産業上の利用可能性】
【００１８】
この考案は、複数のケースを接続し、マルチメディアカードを簡単に収納することができ、そして折りでつないで、ケースを完全に展開することができて、マルチメディアカードの内容を一目で分かり、また、マルチメディアカードの収納方式は簡単で、収納と取出しは便利で、しかもマルチメディアカードに損傷を与えなくて、しかもそれは持ち運ぶのが便利で、検索するのが簡単だ。
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００１９】
【図１】従来の実施の形態によるケースの全体構成を示すブロック図である。
【図２】本考案の実施の形態によるケースの全体構成を示すブロック図である。
【図３】本考案の実施の形態による１組のブッシュを嵌め込めることを示す説明図である。
【図４】本考案の実施の形態による１組のブッシュを回転することを示す説明図である。
【図５】本考案の実施の形態による複数の本体を組み立て、開放状態を示す説明図である。
【図６】本考案の実施の形態による複数の本体を組み立て、閉鎖状態を示す説明図である。
【図７】本考案の実施の形態による複数の本体を組み立て、マルチメディアカードを収納することを示す説明図である。
【符号の説明】
【００２０】
１０  マルチメディアカード
２０  ケース
２１  装着凹部
２２  弾性作用部
２３  係合穴
３０  本体
３１  装着凹部
３２  開口部
３３  係止片
３４  突起
３５  保持端部
３６  凹溝
３７  側板
３８  凸部
４０  １組のブッシュ
４１  側板
４２  係合穴
【図１】
0003102809.tif 000003
【図２】
0003102809.tif 000004
【図３】
0003102809.tif 000005
【図４】
0003102809.tif 000006
【図５】
0003102809.tif 000007
【図６】
0003102809.tif 000008
【図７】
0003102809.tif 000009
【手続補正書】
【提出日】平成16年3月4日(2004.3.4)
【手続補正１】
【補正対象書類名】実用新案登録請求の範囲
【補正対象項目名】全文
【補正方法】変更
【補正の内容】
【実用新案登録請求の範囲】
【請求項１】
少なくとも一つの装着凹部を内蔵し、開口部を該装着凹部の一側に設けられ、該開口部から該装着凹部の上端の両側に面して係止片があり、該開口部から該装着凹部の内側の底部に面して突起があり、凹溝を開口部の両側の保持端部上に設けられ、凸部を凹溝の両側の側板上に設けられ、からなる本体と
二軸に平行する係合穴を具え、これによって、２組のブッシュ中の対応する係合穴を前記凹溝の凸部上に嵌め込め、該１組のブッシュの別の係合穴を前記本体の別の主体に対応する凹溝の凸部上に重ね嵌め込め、二つの本体を一体化し、嵌め込め、該二つの本体の凹溝中の１組のブッシュを軸心とし、回転でき、マルチメディアカードを前記開口部から装着凹部内に差し込め、メモリカードを前記係止片、突起内に納められ、からなる１組のブッシュと、を含むことを特徴とするマルチメディアカード収納ケース。
【請求項２】
該本体が、四つの装着凹部を設置することを含むことを特徴とする請求項１に記載のマルチメディアカード収納ケース。
【請求項３】
該突起が、球面状の膨出部であることを特徴とする請求項１に記載のマルチメディアカード収納ケース。
【請求項４】
該突起が、該開口部から該装着凹部の内側の底部に面し、その両側に設けられることを含むことを特徴とする請求項１に記載のマルチメディアカード収納ケース。